(57)【要約】【課題】信号判定用のデータを容易に更新することが可能なプロジェクタ等を提供すること。【解決手段】プロジェクタ１００が、判定条件データ１３２に基づき、入力信号の種別を判定する信号判定部１５０と、信号判定部１５０が前記種別を適切に判定できなかった場合に判定に関する情報を示す判定情報を情報提供装置２００へ向け送信するとともに、情報提供装置２００から前記判定情報に基づく判定条件更新データを受信する投写側通信部１１０と、前記判定条件更新データに基づき、判定条件データ１３２を更新する更新部１２０を含んで構成される。【選択図】図２
2009192986.tif 000002
【特許請求の範囲】
【請求項１】
判定条件データに基づき、入力信号の種別を判定する信号判定部と、
前記信号判定部が前記種別を適切に判定できなかった場合に判定に関する情報を示す判定情報を情報提供装置へ向け送信するとともに、前記情報提供装置から前記判定情報に基づく判定条件更新データを受信する投写側通信部と、
前記判定条件更新データに基づき、前記判定条件データを更新する更新部と、
を含むことを特徴とするプロジェクタ。
【請求項２】
請求項１に記載のプロジェクタにおいて、
前記入力信号は、画像信号であって、
前記信号判定部の判定に関する情報に応じて前記画像信号に基づく画像を生成する画像生成部と、
前記画像を投写する投写部と、
を含むことを特徴とするプロジェクタ。
【請求項３】
請求項１、２のいずれかに記載のプロジェクタにおいて、
携帯型情報記憶媒体に対する読み書きが可能なインターフェイス部を含み、
前記信号判定部は、携帯型情報記憶媒体に記憶された前記判定条件データを、前記インターフェイス部を介して参照して前記入力信号の種別を判定し、
前記更新部は、前記インターフェイス部を介して前記判定条件データを更新することを特徴とするプロジェクタ。
【請求項４】
請求項３に記載のプロジェクタにおいて、
初期設定用の前記判定条件データを記憶する投写側記憶部を含み、
前記信号判定部は、前記インターフェイス部に前記携帯型情報記憶媒体が接続されている場合は前記携帯型情報記憶媒体に記憶された前記判定条件データを参照して前記入力信号の種別を判定し、前記インターフェイス部に前記携帯型情報記憶媒体が接続されていない場合は前記投写側記憶部に記憶された前記判定条件データを参照して前記入力信号の種別を判定することを特徴とするプロジェクタ。
【請求項５】
プロジェクタから当該プロジェクタの有する信号判定部の判定条件データに基づく入力信号の種別の判定に関する情報を示す判定情報を受信するとともに、前記プロジェクタへ向け前記判定情報に基づき、前記判定条件データの更新に用いられる判定条件更新データを送信する提供側通信部と、
前記判定情報に基づき、前記判定条件更新データを生成するデータ生成部と、
を含むことを特徴とする情報提供装置。
【請求項６】
請求項５に記載の情報提供装置において、
前記判定情報は、前記プロジェクタの機種を示す機種情報を含み、
前記データ生成部は、前記機種情報に基づき、前記機種に応じた前記判定条件更新データを生成することを特徴とする情報提供装置。
【請求項７】
請求項６に記載の情報提供装置において、
前記提供側通信部は、前記機種情報に基づき、前記機種と互換性のある少なくとも１台の他のプロジェクタへ向け前記判定条件更新データを送信することを特徴とする情報提供装置。
【請求項８】
請求項１〜４のいずれかに記載の前記プロジェクタと、
請求項５〜７のいずれかに記載の前記情報提供装置と、
を含む更新システム。
【請求項９】
少なくとも１台のプロジェクタと、情報提供装置とを用いた更新方法であって、
前記プロジェクタは、
判定条件データに基づき、入力信号の種別を判定し、
前記信号判定部が前記種別を適切に判定できなかった場合に判定に関する情報を示す判定情報を前記情報提供装置へ向け送信し、
前記情報提供装置は、
前記プロジェクタから前記判定情報を受信し、
前記判定情報に基づき、前記判定条件データの更新に用いられる前記判定条件更新データを生成し、
前記プロジェクタへ向け前記判定条件更新データを送信し、
前記プロジェクタは、
前記情報提供装置から前記判定条件更新データを受信し、
前記判定条件更新データに基づき、前記判定条件データを更新し、
更新した前記判定条件データに基づき、前記入力信号の種別を判定し、
前記種別に応じて前記入力信号に基づく処理を実行することを特徴とする更新方法。
【発明の詳細な説明】
【技術分野】
【０００１】
本発明は、プロジェクタ、情報提供装置、更新システムおよび更新方法に関する。
【背景技術】
【０００２】
例えば、特開平９−２１８６７０号公報では、水平同期信号等に基づいて表示モードを判定し、当該表示モードに応じて表示制御を行う表示装置が記載されている。
【特許文献１】特開平９−２１８６７０号公報
【発明の開示】
【発明が解決しようとする課題】
【０００３】
しかし、プロジェクタの場合、液晶モニタ等の一般的な表示装置とは異なり、種々の画像供給装置と接続されるため、水平同期信号等に基づいて画像信号の種別を決定できない場合がある。具体的には、例えば、プロジェクタの発売時に想定していた画像信号と異なる種別の画像信号をプロジェクタに供給する画像供給装置が新たに発売された場合、当該プロジェクタは画像を適切に投写することができない可能性がある。また、高機能なプロジェクタは、画像を適切に投写できない場合に手動での画質調整機能等を有しているが、実際には、未知の画像信号がプロジェクタに入力される場合に、ユーザが手動で画質調整等を行うことは困難である。
【０００４】
また、新たな画像信号に対応するために入力信号判定用の信号判定データがファームウェア等の形態で開発される場合がある。しかし、プロジェクタのメーカーが、プロジェクタが画像を適切に投写できない事態の発生を把握したり、状況を把握したり、ファームウェア開発用にユーザが使用している画像供給装置を入手してユーザと同じ環境を整えたりするには長い時間がかかる。その上、ユーザが、手動でプロジェクタのファームウェア等の設定データを更新するのは困難である。
【０００５】
本発明の目的は、信号判定用のデータを容易に更新することが可能なプロジェクタ、情報提供装置、更新システムおよび更新方法を提供することにある。
【課題を解決するための手段】
【０００６】
上記課題を解決するため、本発明に係るプロジェクタは、判定条件データに基づき、入力信号の種別を判定する信号判定部と、前記信号判定部が前記種別を適切に判定できなかった場合に判定に関する情報を示す判定情報を情報提供装置へ向け送信するとともに、前記情報提供装置から前記判定情報に基づく判定条件更新データを受信する投写側通信部と、前記判定条件更新データに基づき、前記判定条件データを更新する更新部と、を含むことを特徴とする。
【０００７】
また、本発明に係る情報提供装置は、プロジェクタから当該プロジェクタの有する信号判定部の判定条件データに基づく入力信号の種別の判定に関する情報を示す判定情報を受信するとともに、前記プロジェクタへ向け前記判定情報に基づき、前記判定条件データの更新に用いられる判定条件更新データを送信する提供側通信部と、前記判定情報に基づき、前記判定条件更新データを生成するデータ生成部と、を含むことを特徴とする。
【０００８】
また、本発明に係る更新システムは、前記プロジェクタと、前記情報提供装置と、を含むことを特徴とする。
【０００９】
また、本発明に係る更新方法は、少なくとも１台のプロジェクタと、情報提供装置とを用いた更新方法であって、前記プロジェクタは、判定条件データに基づき、入力信号の種別を判定し、前記信号判定部が前記種別を適切に判定できなかった場合に判定に関する情報を示す判定情報を前記情報提供装置へ向け送信し、前記情報提供装置は、前記プロジェクタから前記判定情報を受信し、前記判定情報に基づき、前記判定条件データの更新に用いられる前記判定条件更新データを生成し、前記プロジェクタへ向け前記判定条件更新データを送信し、前記プロジェクタは、前記情報提供装置から前記判定条件更新データを受信し、前記判定条件更新データに基づき、前記判定条件データを更新し、更新した前記判定条件データに基づき、前記入力信号の種別を判定し、前記種別に応じて前記入力信号に基づく処理を実行することを特徴とする。
【００１０】
本発明によれば、更新システム等は、入力信号の種別の判定に関する情報を示す判定情報を用いて判定条件更新データを生成し、当該判定条件更新データを用いて判定条件データを更新することにより、信号判定用のデータを容易に更新することができる。また、本発明によれば、プロジェクタは、新たな種別の信号を入力する場合であっても、更新した判定条件データを用いて当該信号の種別を適切に判定することができる。
【００１１】
また、前記入力信号は、画像信号であって、前記プロジェクタは、前記信号判定部の判定に関する情報に応じて前記画像信号に基づく画像を生成する画像生成部と、前記画像を投写する投写部と、を含んでもよい。
【００１２】
これによれば、プロジェクタは、新たな種別の画像信号を入力する場合であっても、更新した判定条件データを用いて当該画像信号の種別を適切に判定することができる。
【００１３】
また、前記プロジェクタは、携帯型情報記憶媒体に対する読み書きが可能なインターフェイス部を含み、前記信号判定部は、携帯型情報記憶媒体に記憶された前記判定条件データを、前記インターフェイス部を介して参照して前記入力信号の種別を判定し、前記更新部は、前記インターフェイス部を介して前記判定条件データを更新してもよい。
【００１４】
これによれば、ユーザは、例えば、信号をプロジェクタに入力する装置ごとに携帯型情報記憶媒体を使い分けたり、携帯型情報記憶媒体に入力信号の元となるデータと判定条件データを記憶したりすることができる。また、判定条件データが使用環境に応じたものであるため、信号判定部は、より正確に判定を行うことができる。
【００１５】
また、前記プロジェクタは、初期設定用の前記判定条件データを記憶する投写側記憶部を含み、前記信号判定部は、前記インターフェイス部に前記携帯型情報記憶媒体が接続されている場合は前記携帯型情報記憶媒体に記憶された前記判定条件データを参照して前記入力信号の種別を判定し、前記インターフェイス部に前記携帯型情報記憶媒体が接続されていない場合は前記投写側記憶部に記憶された前記判定条件データを参照して前記入力信号の種別を判定してもよい。
【００１６】
これによれば、プロジェクタは、携帯型情報記憶媒体の有無に応じて参照先を変更することができるため、例えば、通常の信号が入力される場合は投写側記憶部の判定条件データを参照し、特殊な信号が入力される場合は携帯型情報記憶媒体の判定条件データを参照することにより、当該特殊な信号が通常の信号と似ている場合であっても両者を適切に区別し、適切な画像を投写することができる。
【００１７】
また、前記判定情報は、前記プロジェクタの機種を示す機種情報を含み、前記データ生成部は、前記機種情報に基づき、前記機種に応じた前記判定条件更新データを生成してもよい。
【００１８】
これによれば、情報提供装置は、機種情報を用いることにより、機種に応じて判定条件更新データをより効率的に生成することができる。
【００１９】
また、前記提供側通信部は、前記機種情報に基づき、前記機種と互換性のある少なくとも１台の他のプロジェクタへ向け前記判定条件更新データを送信してもよい。
【００２０】
これによれば、情報提供装置は、１台のプロジェクタから判定情報を受信した場合に、当該プロジェクタだけでなく、当該プロジェクタの機種と互換性のある他のプロジェクタに判定条件データを更新させることができるため、更新システム全体としてより効率的に判定条件データを更新することができる。
【発明を実施するための最良の形態】
【００２１】
以下、本発明をプロジェクタと情報提供装置を含む判定条件データの更新システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２２】
（第１の実施例）
図１は、第１の実施例における更新システムの全体図である。更新システムは、複数のプロジェクタ１００−１〜１００−ｎと、情報提供装置２００（例えば、サーバ等）を含む。プロジェクタ１００と情報提供装置２００はネットワーク３００（例えば、インターネット、有線ＬＡＮ、無線ＬＡＮ等）を介して相互に情報を送受信することができるように形成されている。また、本実施例のプロジェクタ１００は、情報提供装置２００に対して判定条件データに基づく画像信号等の種別の判定に関する情報を示す判定情報を送信し、情報提供装置２００から判定条件データを更新するためのデータを受信する機能を有する。
【００２３】
次に、このような機能を有するプロジェクタ１００と情報提供装置２００の機能ブロックについて説明する。図２は、第１の実施例におけるプロジェクタ１００と情報提供装置２００の機能ブロック図である。
【００２４】
プロジェクタ１００は、画像信号等の種別を判定するための判定条件データ１３２を記憶する投写側記憶部１３０と、画像信号等を入力する信号入力部１４０と、判定条件データ１３２に基づき、画像信号等の種別を判定する信号判定部１５０と、画像信号に基づき、画像を生成する画像生成部１６０と、画像を投写する投写部１９０を含んで構成されている。
【００２５】
なお、判定条件データ１３２は、例えば、同期信号（垂直同期信号、水平同期信号）の極性、水平走査周波数（水平同期周波数）、垂直走査周波数（垂直同期周波数）、走査方式（インターレス、プログレッシブ）、垂直ライン数等の画像信号の値の組合せと当該組合せから決定される画像信号の種別（例えば、ＸＧＡ５０Ｈｚ、ＸＧＡ３０Ｈｚ、ＶＧＡ６０Ｈｚ等）を示すデータである。
【００２６】
また、プロジェクタ１００は、信号判定部が信号の種別を適切に判定できなかった場合に判定に関する情報を示す判定情報を情報提供装置２００へ向け送信するとともに、情報提供装置２００から判定情報に基づく判定条件更新データを受信する投写側通信部１１０と、当該判定条件更新データに基づき、判定条件データ１３２を更新する更新部１２０を含んで構成されている。
【００２７】
また、情報提供装置２００は、プロジェクタ１００から判定情報を受信するとともに、判定条件更新データをプロジェクタ１００へ向け送信する提供側通信部２１０と、判定情報に基づき、判定条件更新データを生成するデータ生成部２２０と、個別データ２３２、機種別データ２３４等を記憶する提供側記憶部２３０を含んで構成されている。
【００２８】
なお、個別データ２３２は、プロジェクタ１００ごとのデータであり、例えば、プロジェクタ１００のＩＰアドレス、ユーザ名等を示すデータである。また、機種別データ２３４は、プロジェクタ１００の機種ごとのデータであり、例えば、使用可能端子（例えば、ＨＤＭＩ端子、ＤＶＩ端子、ビデオ端子等）、入力可能な信号に関する情報（例えば、判定条件データ１３２で示される同期信号の情報、走査方式等）、画像信号の値の組合せから決定される画像信号の種別等を示すデータである。
【００２９】
また、これらの各部の機能を実装するためのハードウェアとしては、例えば、以下のものが採用されてもよい。例えば、投写側通信部１１０、提供側通信部２１０としてはＬＡＮボード等、更新部１２０、信号判定部１５０、データ生成部２２０としてはＣＰＵ等、投写側記憶部１３０、提供側記憶部２３０としてはフラッシュメモリ等、信号入力部１４０としては画像信号入力端子等、画像生成部１６０としては画像処理回路等、投写部１９０としてはランプ、液晶パネル、液晶駆動回路、投写レンズ等が採用されてもよい。
【００３０】
次に、プロジェクタ１００が、画像信号を入力し、画像信号の種別を判定し、画像を投写するまでのプロジェクタ１００における処理手順について説明する。図３は、第１の実施例におけるプロジェクタ１００の処理手順を示すフローチャートである。
【００３１】
信号入力部１４０は、ＰＣ(Personal Computer)等の画像供給装置から画像信号（例えば、ＲＧＢ信号、同期信号等。動画像信号でも静止画像信号でもよい。）を入力する（ステップＰ１）。
【００３２】
信号判定部１５０は、画像信号の入力が初回（例えば、プロジェクタ１００の起動時、再起動時、映像ソース切替時等）かどうかを判定する（ステップＰ２）。画像信号の入力が初回の場合、信号判定部１５０は、当該画像信号の種別が未決定かどうかを判定する（ステップＰ３）。
【００３３】
画像信号の種別が未決定の場合、信号判定部１５０は、画像信号と、判定条件データ１３２に基づき、画像信号の種別を判定する（ステップＰ４）。より具体的には、信号判定部１５０は、例えば、同期信号（垂直同期信号、水平同期信号）の極性、水平走査周波数（水平同期周波数）、垂直走査周波数（垂直同期周波数）、走査方式（インターレス、プログレッシブ）、垂直ライン数等の画像信号の値に基づき、判定条件データ１３２で示されるこれらの値の組合せと当該組合せから決定される画像信号の種別を参照して画像信号の種別を決定する。
【００３４】
また、信号判定部１５０は、画像信号の種別を適切に判定できたかどうかを判定する（ステップＰ５）。なお、画像信号の種別を適切に判定できたかどうかを判定する手法としては、例えば、判定条件データ１３２で示される条件に該当するかどうかで判定する手法、ユーザが実際に投写された画像を見て適切に表示されていないと判断した場合にリモートコントローラ等から調整指示情報等をプロジェクタ１００に入力し、信号判定部１５０が、当該調整指示情報等に基づいて画像信号の種別を適切に判定できなかったと判定する手法等が採用されてもよい。
【００３５】
画像信号の種別を適切に判定できた場合、画像生成部１６０は、入力された画像信号に基づき、信号判定部１５０によって決定された画像信号の種別に応じて画像を生成し（ステップＰ６）、投写部１９０は、当該画像を投写する（ステップＰ７）。
【００３６】
一方、画像信号の種別を適切に判定できなかった場合、信号判定部１５０は、画像信号の判定に関する情報を示す判定情報を生成し、投写側通信部１１０は、当該判定情報を情報提供装置２００へ向け送信する（ステップＰ８）。なお、判定情報は、例えば、同期信号の極性、水平走査周波数、垂直走査周波数、走査方式、垂直ライン数等と、判定した画像信号の種別を示す情報、プロジェクタ１００の機種を示す機種情報等を含んでもよい。
【００３７】
更新部１２０は、例えば、一定時間ごと、あるいは、起動時等に投写側通信部１１０が情報提供装置２００から判定条件更新データを受信したかどうかを判定する（ステップＰ９）。なお、プロジェクタ１００がステップＰ８の処理を実行した場合、あるいは、他のプロジェクタ１００がステップＰ８の処理を実行した場合、情報提供装置２００から判定条件更新データが送信される。
【００３８】
投写側通信部１１０が情報提供装置２００から判定条件更新データを受信した場合、更新部１２０は、当該判定条件更新データに基づき、判定条件データ１３２を更新する（ステップＰ１０）。
【００３９】
信号判定部１５０等は、信号入力部１４０による画像信号の入力が終了したかどうかを判定し（ステップＰ１１）、プロジェクタ１００は、終了していない場合はステップＰ１〜Ｐ１１の処理を続行し、終了した場合は上述した処理を終了する。なお、画像信号の入力が初回でない場合および画像信号の種別が決定済みの場合、ステップＰ４、Ｐ５、Ｐ８の処理は実行されず、ステップＰ６以降の処理が実行される。
【００４０】
次に、情報提供装置２００における処理手順について説明する。図４は、第１の実施例における情報提供装置２００の処理手順を示すフローチャートである。提供側通信部２１０は、プロジェクタ１００から判定情報を受信したかどうかを判定する（ステップＳ１）。
【００４１】
判定情報が受信された場合、データ生成部２２０は、判定情報に含まれる機種情報に基づき、判定情報を送信したプロジェクタ１００の機種を決定する（ステップＳ２）。なお、機種情報は、必須ではなく、情報提供装置２００は、個別データ２３２にプロジェクタ１００ごとの機種情報を含めてもよい。
【００４２】
また、データ生成部２２０は、プロジェクタ１００の機種を決定した後、判定情報と機種別データ２３４に基づき、判定条件更新データを生成する（ステップＳ３）。なお、データ生成部２２０は、判定情報と機種別データ２３４から自動的に判定条件更新データを生成できない場合、情報提供装置２００のユーザ（例えば、開発者等）の入力に応じて判定条件更新データを生成してもよい。
【００４３】
提供側通信部２１０は、個別データ２３２に基づき、対象機種のプロジェクタ１００へ向け判定条件更新データを送信する（ステップＳ４）。なお、判定条件更新データを送信する場合、提供側通信部２１０は、判定条件更新データの圧縮、暗号化、パケット化、分割等が行われてもよく、投写側通信部１１０は、これらの変形に応じて判定条件更新データを復元してもよい。
【００４４】
ここで、上述した処理について、具体例を挙げてより詳細に説明する。具体的には、例えば、プロジェクタ１００−１の機種が機種Ｔであり、プロジェクタ１００−２の機種が機種Ｔと互換性のある機種Ｔ’であるものとする。また、各プロジェクタ１００に記憶されている判定条件データ１３２が、水平走査周波数が５０ｋＨｚ未満の場合は画像信号Ａ、水平走査周波数が５０ｋＨｚ以上６０ｋＨｚ未満の場合は画像信号Ｂ、水平走査周波数が６０ｋＨｚ以上の場合は画像信号Ｃという条件を示すものとする。なお、画像信号Ａ〜Ｃは画像信号の種別を示す。
【００４５】
例えば、水平走査周波数が６２ｋＨｚの画像信号がプロジェクタ１００−１に入力された場合、プロジェクタ１００−１の信号判定部１５０は、判定条件データ１３２を参照して画像信号Ｃと判定し、プロジェクタ１００−１の画像生成部１６０は画像信号Ｃに応じた画像処理を実行する。なお、判定条件データ１３２は、例えば、水平走査周波数等の入力値に関する項目と、画像信号の種別を示す項目を含むテーブル、水平走査周波数等の入力値に応じて画像信号の種別を出力するプログラム等であってもよい。
【００４６】
プロジェクタ１００−１が画像信号Ｃに応じた画像処理を実行して画像を投写したにも関わらず、実際には適切な画像が投写されず、ユーザによって調整指示が行われた場合、プロジェクタ１００−１の投写側通信部１１０は、水平走査周波数が６２ｋＨｚの画像信号を画像信号Ｃと判定したが適切に投写されなかったことを示す情報とプロジェクタ１００−１が機種Ｔであることを示す情報を含む判定情報を情報提供装置２００へ向け送信する。
【００４７】
提供側通信部２１０は、判定情報を受信し、データ生成部２２０は、判定情報の送信元がプロジェクタ１００−１であり、機種Ｔであることを判定する。また、データ生成部２２０は、判定情報に含まれる水平走査周波数等の情報と機種別データ２３４を参照して機種Ｔの場合は水平走査周波数が６０ｋＨｚ以上６５ｋＨｚ未満の場合は画像信号Ｄとし、水平走査周波数が６５ｋＨｚ以上の場合は画像信号Ｃと判定すべきことを決定し、これらの更新を行うための判定条件更新データを生成する。なお、判定条件更新データは、例えば、判定条件データ１３２がテーブルである場合、当該テーブルの一部または全部を更新するためのプログラムであってもよく、判定条件データ１３２がプログラムである場合、当該プログラムの一部または全部を更新するためのプログラムであってもよい。
【００４８】
データ生成部２２０は、機種別データ２３４を参照して機種Ｔと互換性のある機種として機種Ｔ’があることを判定する。すなわち、この場合、対象機種は、機種Ｔと機種Ｔ’である。
【００４９】
提供側通信部２１０は、個別データ２３２に基づき、機種Ｔに該当するプロジェクタ１００（プロジェクタ１００−１）のＩＰアドレスと、機種Ｔ’に該当するプロジェクタ１００（プロジェクタ１００−２）のＩＰアドレスを把握し、これらのＩＰアドレスを宛先として判定条件更新データを送信する。
【００５０】
プロジェクタ１００−１、１００−２の投写側通信部１１０は、当該判定条件更新データを受信し、プロジェクタ１００−１、１００−２の更新部１２０は、当該判定条件更新データに基づき、判定条件データ１３２を更新する。
【００５１】
これにより、プロジェクタ１００−１だけでなく、プロジェクタ１００−２も、水平走査周波数が６２ｋＨｚの画像信号が入力された場合、画像信号Ｄと適切に判定することができ、画像を適切に投写することができる。
【００５２】
以上のように、本実施例によれば、更新システムは、入力画像信号の種別の判定に関する情報を示す判定情報を用いて判定条件更新データを生成し、当該判定条件更新データを用いて判定条件データ１３２を更新することにより、信号判定用のデータを容易に更新することができる。これにより、プロジェクタ１００のメーカーは、画像を適切に投写できない事態の発生や状況をより短時間で把握することができ、より迅速に適切な判定条件データ１３２をプロジェクタ１００に提供することができる。また、これにより、ユーザは、手動で判定条件データ１３２を更新することなく、迅速かつ適切に画像の調整を行うことができる。
【００５３】
また、本実施例によれば、プロジェクタ１００は、新たな種別の画像信号を入力する場合であっても、更新した判定条件データ１３２を用いて当該画像信号の種別を適切に判定することができる。これにより、プロジェクタ１００は、種々の画像供給装置から種々の画像信号を入力して画像を適切に投写することができる。
【００５４】
また、本実施例によれば、情報提供装置２００は、機種情報や機種別データ２３４を用いることにより、機種に応じて判定条件更新データをより効率的に生成することができる。
【００５５】
また、本実施例によれば、情報提供装置２００は、１台のプロジェクタ１００から判定情報を受信した場合に、当該プロジェクタ１００だけでなく、当該プロジェクタ１００の機種と互換性のある他のプロジェクタ１００に判定条件データ１３２を更新させることができるため、更新システム全体としてより効率的に判定条件データ１３２を更新することができる。これにより、プロジェクタ１００は、新たな画像信号に対応する必要が生じた場合も迅速に対応することができる。
【００５６】
（第２の実施例）
プロジェクタは、複数種の判定条件データを用いたり、外部の携帯型情報記憶媒体に記憶された判定条件データを用いたりしてもよい。ここでは、プロジェクタが、内部に記憶された判定条件データと、外部の携帯型情報記憶媒体に記憶された判定条件データを用いる実施例について説明する。
【００５７】
図５は、第２の実施例におけるプロジェクタ１０１の機能ブロック図である。プロジェクタ１０１は、携帯型情報記憶媒体の一種であるＵＳＢメモリ４００に対する読み書きが可能なインターフェイス部１７０（例えば、ＵＳＢインターフェイス等）を含んで構成されている。また、プロジェクタ１０１の有する投写側記憶部１３１は、初期設定用の判定条件データ１３３を記憶している。また、ＵＳＢメモリ４００は、更新可能な判定条件データ１３４を記憶している。
【００５８】
また、プロジェクタ１０１の有する信号判定部１５１は、インターフェイス部１７０にＵＳＢメモリ４００が接続されていない場合は判定条件データ１３３を参照し、ＵＳＢメモリ４００が接続されている場合はインターフェイス部１７０を介して判定条件データ１３４を参照して入力信号の種別を判定する。
【００５９】
また、プロジェクタ１０１の有する更新部１２１は、判定条件更新データが受信された場合、インターフェイス部１７０を介して判定条件データ１３４を更新し、判定条件データ１３３を更新しない。なお、これら以外のプロジェクタ１０１の構成は第１の実施例のプロジェクタ１００の構成と同様であるため、説明を省略する。
【００６０】
本実施例によれば、ユーザは、例えば、画像信号をプロジェクタ１０１に入力する装置ごとにＵＳＢメモリ４００を使い分けたり、ＵＳＢメモリ４００に入力信号の元となるデータと判定条件データ１３４を記憶したりすることができる。
【００６１】
また、本実施例によれば、ユーザは、使用環境に応じて必要最低限のデータが記憶された判定条件データ１３３、１３４を使用できる。これにより、信号判定部１５１は、参照するデータ量が減るため、より迅速に判定を行うことができる上、判定条件データ１３４が使用環境に応じたものであるため、より正確に判定を行うことができる。
【００６２】
また、本実施例によれば、初期設定用の判定条件データ１３３は更新されないため、プロジェクタ１０１は、判定条件データ１３４のカスタマイズを実現しつつ、初期設定での判定も行うことができる。
【００６３】
また、本実施例によれば、プロジェクタ１０１は、ＵＳＢメモリ４００の有無に応じて参照先を変更することができるため、例えば、通常の信号が入力される場合は投写側記憶部１３１の判定条件データ１３３を参照し、特殊な信号が入力される場合はＵＳＢメモリ４００の判定条件データ１３４を参照することにより、当該特殊な信号が通常の信号と似ている場合であっても両者を適切に区別し、適切な画像を投写することができる。
【００６４】
（その他の実施例）
なお、本発明の適用は上述した実施例に限定されず、種々の変形が可能である。例えば、判定条件データ１３２、１３３は、ファームウェアの一部としてフラッシュメモリに記憶されてもよいし、ファームウェアが記憶されたフラッシュメモリとは異なるメモリに記憶されてもよい。また、プロジェクタ１０１が、複数のＵＳＢメモリ４００から複数の判定条件データ１３４を参照可能な場合、どのＵＳＢメモリ４００を優先して使用するかを設定したり、ユーザに選択させたりしてもよい。また、更新システムは、１台のプロジェクタ１００、１０１と情報提供装置２００で構成されてもよい。
【００６５】
また、更新部１２０、１２１は、ユーザの更新指示情報に基づき、判定条件データ１３２、１３４を更新してもよい。また、更新部１２１は、判定条件データ１３３も更新してもよい。例えば、更新部１２１は、ＵＳＢメモリ４００が接続されていない場合に判定条件データ１３３を更新してもよい。また、信号入力部１４０は、音声信号等の画像信号以外の信号を入力してもよく、信号判定部１５０は、画像信号以外の信号の種別を判定してもよい。
【００６６】
また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００の機能を複数の装置（例えば、ＰＣとプロジェクタ等）に分散して実装してもよい。また、携帯型情報記憶媒体は、ＵＳＢメモリ４００には限定されず、例えば、カード型情報記憶媒体、携帯電話、ノートＰＣ等の種々の媒体を採用可能である。
【図面の簡単な説明】
【００６７】
【図１】第１の実施例における更新システムの全体図である。
【図２】第１の実施例におけるプロジェクタと情報提供装置の機能ブロック図である。
【図３】第１の実施例におけるプロジェクタの処理手順を示すフローチャートである。
【図４】第１の実施例における情報提供装置の処理手順を示すフローチャートである。
【図５】第２の実施例におけるプロジェクタの機能ブロック図である。
【符号の説明】
【００６８】
１００  プロジェクタ、１１０  投写側通信部、１２０、１２１  更新部、１３０、１３１  投写側記憶部、１３２〜１３４  判定条件データ、１４０  信号入力部、１５０、１５１  信号判定部、１６０  画像生成部、１７０  インターフェイス部、１９０  投写部、２００  情報提供装置、２１０  提供側通信部、２２０  データ生成部、２３０  提供側記憶部、２３２  個別データ、２３４  機種別データ、３００  ネットワーク、４００  ＵＳＢメモリ（携帯型情報記憶媒体）
【図１】
2009192986.tif 000003
【図２】
2009192986.tif 000004
【図３】
2009192986.tif 000005
【図４】
2009192986.tif 000006
【図５】
2009192986.tif 000007